(57)【特許請求の範囲】
【請求項１】
データ線と走査線との交差部に対応して設けられた画素を備え、前記画素の階調が一つのフレーム内で前記画素がオンになるデューティ比に応じて決定される電気光学装置を駆動する駆動回路であって、
前記画素がオンまたはオフになるデータ信号を前記データ線を介して前記画素に対して供給し、
前記データ信号の極性は、交流化信号の極性の反転に応じて反転し、
前記一つのフレームの次のフレームにおける前記交流化信号の波形は、前記一つのフレームにおける前記交流化信号の波形の反転した波形であり、
前記複数のサブフィールドのうち少なくとも第１のサブフィールドにおいて、前記画素を常にオンとし、
前記データ信号の極性を、前記１フレーム内において３以上の奇数回反転させること、
を特徴とする駆動回路。
【請求項２】
前記複数のサブフィールドのうち連続する第２および第３のサブフィールドにおいて、前記第２のサブフィールドにおける前記データ信号の極性を、前記第３のサブフィールドにおいて反転させること、
を特徴とする請求項１記載の駆動回路。
【請求項３】
前記複数のサブフィールドのうち一部のサブフィールドにおいては、前記データ信号の極性は複数回反転し、
前記一部のサブフィールドにおいて、前記データ信号が極性を反転する毎に、前記画素に前記データ信号を書き込むこと、
を特徴とする請求項１又は２に記載の駆動回路。
【請求項４】
前記一部のサブフィールドは、少なくとも前記複数のサブフィールドのうちの最も長いサブフィールドを含むこと、
を特徴とする請求項３に記載の駆動回路。
【請求項５】
前記複数のサブフィールドのうち、連続する２つのサブフィールドにおいては、前記データ信号の極性を一定に保持し、
前記連続する２つのサブフィールドの各々毎に、前記画素に前記データ信号を書き込むこと、
を特徴とする請求項１乃至４の何れかに記載の駆動回路。
【請求項６】
前記連続する２つのサブフィールドは、少なくとも前記複数のサブフィールドのうちの最も短いサブフィールドを含むこと、
を特徴とする請求項５に記載の駆動回路。
【請求項７】
請求項１乃至６のいずれかに記載の駆動回路において、
前記交流化信号の極性を、前記一つのフレーム内で反転すること、
を特徴とする駆動回路。
【請求項８】
複数の走査線と、
複数のデータ線と、
前記複数の走査線および前記複数のデータ線の交差に対応して配設された複数の画素と、
請求項１乃至７のいずれかに記載の駆動回路と、を含み、
前記複数の画素は、
画素電極と、
前記画素電極に対して対向配置された対向電極と、
前記画素電極と前記対向電極との間に配置された電気光学材料と、
前記複数のデータ線のうちの一つのデータ線と前記画素電極との導通を制御するスイッチング素子と、を備えていること、
を特徴とする電気光学装置。
【請求項９】
請求項８に記載の電気光学装置において、
前記対向電極に印加する電位は、前記データ信号の極性とは逆位相の極性となるように反転させること、
を特徴とする電気光学装置。
【請求項１０】
請求項８又は９に記載の電気光学装置において、
さらに前記複数の走査線を駆動する走査線駆動回路を含み、
前記走査線駆動回路は、前記複数の走査線に対して複数ラインごとに飛ばしながら走査信号を出力すること、
を特徴とする電気光学装置。
【請求項１１】
請求項８乃至１０の何れかに記載の電気光学装置を備えること、
を特徴とする電子機器。」
【発明の詳細な説明】
【０００１】
【発明の属する技術分野】
本発明は、各種情報の表示に用いて好適な電気光学装置の駆動回路、電気光学装置および電子機器に関する。
【０００２】
【背景技術】
(１)サブフィールド駆動方式について
電気光学装置、例えば、電気光学材料として液晶を用いた液晶表示装置は、陰極線管（ＣＲＴ）に代わるディスプレイデバイスとして、各種情報処理機器の表示部や液晶テレビなどに広く用いられている。ここで、従来の電気光学装置は、例えば、次のように構成されている。すなわち、従来の電気光学装置は、マトリクス状に配列した画素電極と、この画素電極に接続されたＴＦＴ（Thin Film Transistor：薄膜トランジスタ）のようなスイッチング素子などが設けられた素子基板と、画素電極に対向する対向電極が形成された対向基板と、これら両基板との問に充填された電気光学材料たる液晶とから構成される。
【０００３】
そして、このような構成において、走査線を介してスイッチング素子に走査信号を印加すると、当該スイッチング素子が導通状態となる。この導通状態の際に、データ線を介して画素電極に、階調に応じた電圧の画像信号を印加すると、当該画素電極および対向電極の間の液晶層に画像信号の電圧に応じた電荷が蓄積される。電荷蓄積後、当該スイッチング素子をオフ状態としても、当該液晶層における電荷の蓄積は、画素電極および対向電極の容量性や蓄積容量などによって維持される。このように、各スイッチング素子を駆動させ、蓄積させる電荷量を階調に応じて制御すると、画素毎に光が変調され表示される濃度が変化することになる。このため、階調を表示することが可能となるのである。
【０００４】
この際、各画素の電極に電荷を蓄積させるのは１画面を表示するための期間に対して、その一部の期間で良いため、第１に、走査線駆動回路によって、各走査線を順次選択するとともに、その走査線の選択期間において、第２に、データ線駆動回路によってデータ線を順次選択し、第３に、選択されたデータ線に、階調に応じた電圧の画像信号をサンプリングする構成により、走査線およびデータ線を複数の画素について共通化した時分割マルチプレックス駆動が可能となる。
【０００５】
しかしながら、データ線に印加される画像信号は、階調に対応する電圧、すなわちアナログ信号である。このため、電気光学装置の周辺回路には、Ｄ／Ａ変換回路やオペアンプなどが必要となるので、装置全体のコスト高を招致してしまう。くわえて、これらのＤ／Ａ変換回路、オペアンプなどの特性や、各種の配線抵抗などの不均一性に起因して、表示ムラが発生するので、高品質な表示が極めて困難である、という問題があり、特に、高精細な表示を行う場合に顕著となる。さらに、液晶等の電気光学物質において、印加電圧と透過率との関係は、電気光学物質の種類に応じて相違する。このため、電気光学装置を駆動する駆動回路としては、各種の電気光学装置に対応できる汎用のものが望まれる。
【０００６】
上述した事情により、本出願人は、１フレームを複数のサブフィールドに分割し、サブフィールド毎に各画素をオン／オフする技術を開発している。この技術によれば、各サブフィールド内で画素がオン／オフされる際の印加電圧は階調に拘らず一定であり、１フレーム内で画素がオン状態になるデューティ比（または電圧実効値）によって画素の階調が決定される。
【０００７】
ここで、デューティ比を０〜１００％の間で変化させながら電気光学装置の階調特性を観察すると、デューティ比０％付近において、デューティ比が変化しているにもかかわらず階調が変化しない領域が存在する。ここで、階調特性が立ち上がるポイントにおける電圧実効値を閾値電圧Ｖthと呼ぶ。閾値電圧Ｖthの値は液晶の組成に応じて異なるが、階調データの値に拘らずこの閾値電圧Ｖthを与えるために、常にオン状態に設定されるサブフィールドを設ける必要がある。
【０００８】
ここで、必要とされる画像の階調数を２K（Ｋは１以上の整数）とした時、１フレーム内に２K＋１個のサブフィールドを設ける方式と、Ｋ＋１個のサブフィールドを設ける方式とが考えられる。前者の方式においては、各サブフィールド期間はほぼ等しい長さを有するが、電気光学装置の非線形特性を補償するために、必要に応じてサブフィールド期間は若干づつ増減される。これにより、前者の方式は電気光学装置の非線形特性を精密に補償できる点で有利である。
【０００９】
一方、後者の方式においては、Ｋ＋１個のサブフィールド期間のうちＫ個は、階調データの各ビットに対応付けられる。ここで各サブフィールド期間は、対応するビットの桁数に応じて、１フレーム内を２0，２1，２2, …,２K-1の比に分割した長さを有する。
後者の方式は前者の方式と比較して、１フレーム内における画素のオン／オフ回数を少なくすることができ、消費電力を低く抑えられる点で有利である。
【００１０】
(２)反転方式について
液晶に印加される電圧に直流成分が含まれていると、液晶を劣化させるため、従来のＴＦＴ液晶表示装置においては、各ドット毎に印加される電圧の極性は１フレーム毎に反転される。ここで、画面を構成する全ドットに着目すると、１フレーム内で全ドットに対して同一極性の電圧が印加される方式をフレーム反転方式という。また、各走査線毎に極性を切り換える方式をライン反転方式と呼び、各データ線毎に極性を切り換える方式をソース反転方式と呼ぶ。さらに、各ドット毎に極性を切り換える方式をドット反転方式と呼ぶ。
【００１１】
各ドットに印加される電圧の極性をフレーム毎に切り換えると、正負の電圧の絶対値の誤差等に応じて透過率に若干の相違が生じ、フリッカーが生ずる場合がある。このフリッカーによる影響を低減させるためにはドット反転方式を採用することが最適であり、次に好ましいものがライン反転方式もしくはソース反転方式である。フレーム反転方式は、全ドットの極性がフレーム毎に切り替わるため、フリッカーが目立ちやすいという点で不利な方式である。
【００１２】
【発明が解決しようとする課題】
しかし、液晶表示装置に課せられる様々な要請により、フレーム反転方式を採用せざるを得ない場合も多かった。例えば、主として小型電子機器においては、データ線駆動回路の電源電圧を低電圧化するために、対向電極の極性を１フレーム毎に切り換えるものもあり、この場合には全ドットの印加電圧の極性をフレーム毎に共通にせざるを得なかった。
この発明は上述した事情に鑑みてなされたものであり、全ドットの印加電圧の極性を共通にしつつ、フリッカーの影響を低減できる電気光学装置の駆動回路、電気光学装置および電子機器を提供することを目的としている。
【００１３】
【課題を解決するための手段】
本発明に係る駆動回路は、データ線と走査線との交差部に対応して設けられた画素を備え、前記画素の階調が一つのフレーム内で前記画素がオンになるデューティ比に応じて決定される電気光学装置を駆動する駆動回路であって、前記画素がオンまたはオフになるデータ信号を前記データ線を介して前記画素に対して供給し、前記データ信号の極性は、交流化信号の極性の反転に応じて反転し、前記一つのフレームの次のフレームにおける前記交流化信号の波形は、前記一つのフレームにおける前記交流化信号の波形の反転した波形であり、前記複数のサブフィールドのうち少なくとも第１のサブフィールドにおいて、前記画素を常にオンとし、前記データ信号の極性を、前記１フレーム内において３以上の奇数回反転させることを特徴とする。
上記の駆動回路において、前記複数のサブフィールドのうち連続する第２および第３のサブフィールドにおいて、前記第２のサブフィールドにおける前記データ信号の極性を、前記第３のサブフィールドにおいて反転させるようにしてもよい。
上記の駆動回路において、前記複数のサブフィールドのうち一部のサブフィールドにおいては、前記データ信号の極性は複数回反転し、前記一部のサブフィールドにおいて、前記データ信号が極性を反転する毎に、前記画素に前記データ信号を書き込むようにしてもよい。
上記の駆動回路において、前記一部のサブフィールドは、少なくとも前記複数のサブフィールドのうちの最も長いサブフィールドを含むようにしてもよい。
上記の駆動回路において、前記複数のサブフィールドのうち、連続する２つのサブフィールドにおいては、前記データ信号の極性を一定に保持し、前記連続する２つのサブフィールドの各々毎に、前記画素に前記データ信号を書き込むようにしてもよい。
上記の駆動回路において、前記連続する２つのサブフィールドは、少なくとも前記複数のサブフィールドのうちの最も短いサブフィールドを含むようにしてもよい。
上記の駆動回路において、前記交流化信号の極性を、前記一つのフレーム内で反転するようにしてもよい。
本発明に係る電気光学装置は、複数の走査線と、複数のデータ線と、前記複数の走査線および前記複数のデータ線の交差に対応して配設された複数の画素と、請求項１乃至９のいずれかに記載の駆動回路と、を含み、前記複数の画素は、画素電極と、前記画素電極に対して対向配置された対向電極と、前記画素電極と前記対向電極との間に配置された電気光学材料と、前記複数のデータ線のうちの一つのデータ線と前記画素電極との導通を制御するスイッチング素子と、を備えていることを特徴とする。
上記の電気光学装置において、前記対向電極に印加する電位は、前記データ信号の極性とは逆位相の極性となるように反転させるようにしてもよい。
上記の電気光学装置において、さらに前記複数の走査線を駆動する走査線駆動回路を含み、前記走査線駆動回路は、前記複数の走査線に対して複数ラインごとに飛ばしながら走査信号を出力するようにしてもよい。
本発明に係る電子機器は、上記の電気光学装置を備えることを特徴とする。
本発明に係る駆動回路は、複数の画素を、複数のフレームのうち一つのフレームに含まれる複数のサブフィールドの各々毎にオンまたはオフすることによって階調表示を行う電気光学装置を駆動する駆動回路であって、階調データに基づいて、前記複数の画素の各々に対して前記複数のサブフィールドの各々毎にオン電位またはオフ電位になるデータ信号を印加するデータ線駆動回路と、を具備し、前記データ線駆動回路は、電位選択回路を含み、前記電位選択回路は、交流化信号に基づいて二値信号を電位に変換することにより前記データ信号として出力し、前記データ信号の極性は、前記交流化信号の極性の反転に応じて反転し、前記複数のフレームのうちの前記一つのフレームの次のフレームにおける前記交流化信号の波形は、前記一つのフレームにおける前記交流化信号の波形の反転した波形であることを特徴とする。
上記の駆動回路において、前記データ信号の極性を、前記１フレーム内において３以上の奇数回反転させるようにしてもよい。
上記の駆動回路において、前記複数のサブフィールドのうち連続する第１および第２のサブフィールドにおいて、前記第１のサブフィールドにおける前記データ信号の極性を、前記第２のサブフィールドにおいて反転させるようにしてもよい。
上記の駆動回路において、前記複数のサブフィールドのうち一部のサブフィールドにおいては、前記データ信号の極性は複数回反転し、前記一部のサブフィールドにおいて、前記データ信号が極性を反転する毎に、前記画素に前記データ信号を書き込むようにしてもよい。
上記の駆動回路において、前記一部のサブフィールドは、少なくとも前記複数のサブフィールドのうちの最も長いサブフィールドを含むようにしてもよい。
上記の駆動回路において、前記複数のサブフィールドのうち、連続する２つのサブフィールドにおいては、前記データ信号の極性を一定に保持し、前記連続する２つのサブフィールドの各々毎に、前記画素に前記データ信号を書き込むようにしてもよい。
上記の駆動回路において、前記連続する２つのサブフィールドは、少なくとも前記複数のサブフィールドのうちの最も短いサブフィールドを含むようにしてもよい。
本発明に係る他の駆動回路は、データ線と走査線との交差部に対応して設けられた画素を備え、前記画素の階調が一つのフレーム内で前記画素がオンになるデューティ比に応じて決定される電気光学装置を駆動する駆動回路であって、前記画素がオンまたはオフになるデータ信号を前記データ線を介して前記画素に対して供給し、前記データ信号の極性は、交流化信号の極性の反転に応じて反転し、前記一つのフレームの次のフレームにおける前記交流化信号の波形は、前記一つのフレームにおける前記交流化信号の波形の反転した波形であることを特徴とする。
上記の駆動回路において、前記複数のサブフィールドのうち第１のサブフィールドにおける前記データ信号の極性は、前記複数のサブフィールドのうちの前記第１のサブフィールドに連続する第２のサブフィールドにおける前記データ信号の極性と異なるようにしてもよい。
上記の駆動回路において、前記複数のサブフィールドのうち一部のサブフィールドにおいては、前記データ信号の極性を複数回反転し、前記一部のサブフィールドにおいて、前記データ信号が極性を反転する毎に、前記画素に前記データ信号を供給するようにしてもよい。
上記の駆動回路において、前記一部のサブフィールドは、少なくとも前記複数のサブフィールドのうちの最も長いサブフィールドを含むようにしてもよい。
上記の駆動回路において、前記複数のサブフィールドのうち、連続する２つのサブフィールドにおいては、前記データ信号の極性を一定に保持し、前記連続する２つのサブフィールドの各々毎に、前記画素に前記データ信号を供給するようにしてもよい。
上記の駆動回路において、前記連続する２つのサブフィールドは、少なくとも前記複数のサブフィールドのうちの最も短いサブフィールドを含むようにしてもよい。
上記の駆動回路において、前記交流化信号の極性を、前記一つのフレーム内で反転するようにしてもよい。
本発明に係る電気光学装置は、複数の走査線と、複数のデータ線と、前記複数の走査線および前記複数のデータ線の交差に対応して配設された複数の画素と、上記の駆動回路と、を含み、前記複数の画素は、画素電極と、前記画素電極に対して対向配置された対向電極と、前記画素電極と前記対向電極との間に配置された電気光学材料と、前記複数のデータ線のうちの一つのデータ線と前記画素電極との導通を制御するスイッチング素子と、を備えていることを特徴とする。
上記の電気光学装置において、前記対向電極に印加する電位は、前記データ信号の極性とは逆位相の極性となるように反転させるようにしてもよい。
上記の電気光学装置において、さらに前記複数の走査線を駆動する走査線駆動回路を含み、前記走査線駆動回路は、前記複数の走査線に対して複数ラインごとに飛ばしながら走査信号を出力するようにしてもよい。
上記の電気光学装置を電子機器に搭載してもよい。
本発明の一の見地における電気光学装置の駆動回路においては、１フレームを複数のサブフィールドに分割し、マトリクス状に配設された複数の画素を、該サブフィールド毎にオンまたはオフすることによって階調表示を行う電気光学装置の駆動回路であって、階調データに基づいて、前記各画素に対して前記各サブフィールド毎にオン電位またはオフ電位になるデータ信号（ｄk）を印加するデータ線駆動回路（１４０）と、前記データ信号（ｄk）の極性を、前記１フレーム内において複数回反転させる極性反転回路（タイミング信号生成回路２００）とを具備することを特徴とする。
ここで、上記電気光学装置の駆動回路において、前記極性反転回路（２００）は、前記データ信号（ｄk）の極性を、前記１フレーム内において３以上の奇数回反転させてもよい。
さらに、上記電気光学装置の駆動回路において、前記極性反転回路（２００）は、連続する第１および第２のフレームにおいて、前記第１のフレームにおける前記データ信号（ｄk）の極性を、前記第２のフレームにおいて反転させてもよい。
さらに、上記電気光学装置の駆動回路において、前記極性反転回路（２００）は、一部のサブフィールドにおいては、前記データ信号（ｄk）の極性を複数回反転させ、前記データ線駆動回路（１４０）は、前記一部のサブフィールドにおいて、該データ信号（ｄk）が極性を反転する毎に、前記画素に該データ信号（ｄk）を書き込む（変形例のＰＬ０４，ＰＬ０５等）ようにしてもよい。
【００１４】
また、上記電気光学装置の駆動回路において、前記一部のサブフィールドは、少なくとも最も長いサブフィールド（ＳＦ３）を含むようにするとよい。
さらに、上記何れかに記載の電気光学装置の駆動回路において、前記極性反転回路（２００）は、一部の連続する２つのサブフィールドにおいては、前記データ信号（ｄk）の極性を一定に保持し、前記データ線駆動回路（１４０）は、前記一部の連続する２つのサブフィールドの各サブフィールド毎に、前記画素に該データ信号（ｄk）を書き込む（実施形態のＰＬ０３，変形例のＰＬ０５等）ようにしてもよい。
さらに、上記電気光学装置の駆動回路において、前記一部の連続する２つのサブフィールドは、少なくとも最も短いサブフィールド（ＳＦ１）を含むようにしてもよい。
【００１５】
また、本発明の他の見地における電気光学装置は、複数の走査線（１１２）と、複数のデータ線（１１４）と、これら走査線およびデータ線の各交差に対応して配設され画素を構成する画素電極（１１８）と、前記画素電極毎に設けられ、当該走査線を介して供給される走査信号によって、当該データ線と当該画素電極との導通を制御するスイッチング素子とを備えた素子基板（１０１）と、前記画素電極に対して対向配置された対向電極（１０８）を備える対向基板（１０２）と、前記素子基板と前記対向基板との問に挟持された電気光学材料（液晶１０５）と、１フレームを分割したサブフィールド毎に前記走査信号を前記走査線の各々に順次供給する走査線駆動回路（１３０）と、階調データに基づいて、前記各画素に対して前記各サブフィールド毎にオン電位またはオフ電位になるデータ信号（ｄk）を印加する上記駆動回路とを具備することを特徴とする。
さらに、該電気光学装置において、前記極性反転回路（２００）は、前記対向電極（１０８）に印加する電位を、前記データ信号（ｄk）の極性とは逆位相の極性となるように反転させるようにしてもよい。
また、本発明の他の見地における電子機器は、上記何れかの電気光学装置を備えることを特徴とする。
【００１６】
【発明の実施の形態】
1．実施形態の構成
1．1．全体構成
次に、本発明の一実施形態の電気光学装置の構成を図１を参照し説明する。
図において、タイミング信号生成回路２００には、図示せぬ上位装置から垂直同期信号Ｖｓ、水平同期信号Ｈｓおよび入力階調データＤ０〜Ｄ２のドットクロック信号ＤＣＬＫが供給される。また、発振回路１５０は、読み出しタイミングの基本クロックＲＣＬＫをタイミング信号生成回路２００に供給する。タイミング信号生成回路２００は、これらの信号にしたがって、次に説明する各種のタイミング信号やクロック信号などを生成するものである。
【００１７】
まず、駆動信号ＬＣＯＭは、対向基板の対向電極に印加される信号であり、本実施形態においては一定電位（零電位）になる。また、本実施形態においては、１フレームが複数のサブフィールドＳＦ０〜ＳＦ３に分割され、画素がサブフィールド毎にオンオフされることによって階調表示が行われる。スタートパルスＤＹは、各サブフィールドにおいて最初に出力されるパルス信号である。クロック信号ＣＬＹは、走査側（Ｙ側）の水平走査期間を規定する信号である。
【００１８】
ラッチパルスＬＰは、水平走査期間の最初に出力されるパルス信号であって、クロック信号ＣＬＹのレベル遷移（すなわち、立ち上がりおよび立ち下がり）時に出力されるものである。クロック信号ＣＬＸは、表示用のドットクロック信号である。次に、交流化信号ＰＬは、各フレーム内のサブフィールドＳＦ０，ＳＦ２，ＳＦ３の開始時に極性反転する信号である。但し、サブフィールドＳＦ１の開始時には極性は反転されない。
【００１９】
ここで、サブフィールド駆動の概要を、図６のスタートパルスＤＹの波形を参照しつつ説明しておく。まず、フレームの最初にサブフィールドＳＦ０が設けられる。このサブフィールドの長さは、液晶の透過率が０％（ノーマリーブラックの場合）から立ち上がる境界となる長さ、すなわち閾値電圧Ｖthを与える長さに設定される。
【００２０】
また、サブフィールドＳＦ１〜ＳＦ３は、入力階調データＤ０〜Ｄ２の各ビットに対応した重み付けを有する長さに設定されている。すなわち、サブフィールドＳＦ１は、最下位ビットである階調データＤ０に対応し、そのオンオフによって、階調データＤ０のオンオフに対応する透過率の変化を起こす長さに設定されている。サブフィールドＳＦ２，ＳＦ３も、それぞれのオンオフによって階調データＤ１，Ｄ２のオンオフに対応する透過率の変化を起こす長さに設定されている。
【００２１】
本実施形態においては、サブフィールドＳＦ２，ＳＦ３は、各々サブフィールドＳＦ１の２倍，４倍程度の長さを有している。但し、実際には液晶の非直線性を補償するために、各サブフィールドの長さは適宜増減される。
【００２２】
図１に戻り、素子基板１０１上における表示領域１０１ａには、図においてＸ（行）方向に延在して複数本の走査線１１２が形成されている。また、複数本のデータ線１１４が、Ｙ（列）方向に沿って延在して形成されている。そして、画素１１０は、走査線１１２とデータ線１１４との各交差に対応して設けられて、マトリクス状に配列されている。ここで、走査線１１２の総本数をｍ本とし、データ線１１４の総本数をｎ本とする（ｍ、ｎはそれぞれ２以上の整数）。
【００２３】
1．2．画素の構成
画素１１０の具体的な構成としては、例えば、図２（ａ）に示されるものが挙げられる。この構成では、薄膜トランジスタ（ＴＦＴ）１１６のゲートが走査線１１２に、ソースがデータ線１１４に、ドレインが画素電極１１８に、それぞれ接続されるとともに、画素電極１１８と対向電極１０８との間に電気光学材料たる液晶１０５が挟持されて液晶層が形成されている。ここで、対向電極１０８は、画素電極１１８と対向するように対向基板に一面に形成される透明電極である。また、画素電極１１８と対向電極１０８とに並列して蓄積容量１１９が形成され、画素電極１１８から電荷がリークすることによる表示への影響を小さくしている。なお、この実施形態では、蓄積容量１１９の一方の電位を対向電極１０８と同電位としたが、接地電位ＧＮＤやゲート線の電位と同電位としても良い。
【００２４】
ここで、図２（ａ）に示される構成では、トランジスタ１１６として一方のチャネル型のみが用いられているために、オフセット電圧が必要となるが、図２（ｂ）に示されるように、Ｐチャネル型トランジスタとＮチャネル型トランジスタとを相補的に組み合わせた構成とすれば、オフセット電圧の影響をキャンセルすることができる。ただし、この相補型構成では、走査信号として互いに排他的レベルを供給する必要が生じるため、１行の画素１１０に対して走査線１１２ａ，１１２ｂの２本の走査線が必要となる。
【００２５】
1．3．走査線駆動回路１３０
説明を再び図１に戻す。走査線駆動回路１３０は、サブフィールドの最初に供給されるスタートパルスＤＹをクロック信号ＣＬＹにしたがって転送し、走査線１１２の各々に走査信号Ｇ1, Ｇ2, Ｇ3, … ,Ｇmとして順次排他的に供給するものである。
【００２６】
1．4．データ変換回路３００
データ変換回路３００は、ドットクロック信号ＤＣＬＫに同期して入力される入力階調データＤ０〜Ｄ２を、クロック信号ＣＬＸに同期するデータ信号Ｄｓに変換し出力するものである。
【００２７】
1．5．データ線駆動回路１４０
次に、データ線駆動回路１４０は、ある水平走査期間においてデータ信号Ｄｓをデータ線１１４の本数に相当するｎ個順次ラッチした後、ラッチしたｎ個のデータ信号Ｄｓを、次の水平走査期間において、電位選択回路１４４０を介して、それぞれ対応するデータ線１１４にデータ信号ｄ1, ｄ2, ｄ3, …ｄnとして一斉に供給するものである。ここで、データ線駆動回路１４０の具体的な構成は、図３に示される通りである。すなわち、データ線駆動回路１４０は、Ｘシフトレジスタ１４１０と、第１のラッチ回路１４２０と、第２のラッチ回路１４３０と、電位選択回路１４４０とから構成されている。
【００２８】
このうちＸシフトレジスタ１４１０は、水平走査期間の最初に供給されるラッチパルスＬＰをクロック信号ＣＬＸにしたがって転送し、ラッチ信号Ｓ1, Ｓ2, Ｓ3, …, Ｓnとして順次排他的に供給するものである。次に、第１のラッチ回路１４２０は、データ信号Ｄｓをラッチ信号Ｓ1, Ｓ2, Ｓ3, …, Ｓnの立ち下がりにおいて順次ラッチするものである。そして、第２のラッチ回路１４３０は、第１のラッチ回路１４２０によりラッチされたデータ信号Ｄｓの各々をラッチパルスＬＰの立ち下がりにおいて一斉にラッチし、電位選択回路１４４０に転送する。
【００２９】
電位選択回路１４４０は、交流化信号ＰＬに基づいてこれらのラッチした二値信号を電位に変換し、データ信号ｄ1, ｄ2, ｄ3, …,ｄnとしてデータ線１１４に印加するものである。すなわち、交流化信号ＰＬがＬレベルであれば、データ信号ｄ1, ｄ2, ｄ3, …ｄnのＨレベルは電位Ｖ1に、Ｌレベルは零電位に変換される。一方、交流化信号ＰＬがＨレベルであれば、データ信号ｄ1, ｄ2, ｄ3, …ｄnのＨレベルは電位−Ｖ1に、Ｌレベルは零電位に変換される。
【００３０】
1．6．液晶装置の構成
上述した電気光学装置の構造について、図５(a)，(b)を参照して説明する。ここで、同図(a)は、電気光学装置１００の構成を示す平面図であり、同図(b)は、同図(a)におけるＡ−Ａ´線の断面図である。これらの図に示されるように、電気光学装置１００は、画素電極１１８などが形成された素子基板１０１と、対向電極１０８などが形成された対向基板１０２とが、互いにシール材１０４によって一定の間隙を保って貼り合わせられるとともに、この間隙に電気光学材料としての液晶１０５が挟持された構造となっている。なお、実際には、シール材１０４には切欠部分があって、ここを介して液晶１０５が封入された後、封止材により封止されるが、これらの図においては省略されている。ここで、素子基板１０１および対向基板１０２はガラスや石英などの非晶質基板である。そして、画素電極１１８等は、素子基板１０１に半導体簿膜を堆積して成るＴＦＴによって形成されている。すなわち、電気光学装置１００は、透過型として用いられることになる。
【００３１】
さて、素子基板１０１において、シール材１０４の内側かつ表示領域１０１ａの外側領域には、遮光膜１０６が設けられている。この遮光膜１０６が形成される領域内のうち、領域１３０ａには走査線駆動回路１３０が形成され、また領域１４０ａにはデータ線駆動回路１４０が形成されている。すなわち、遮光膜１０６は、この領域に形成される駆動回路に光が入射するのを防止している。この遮光膜１０６には、対向電極１０８とともに、駆動信号ＬＣＯＭが印加される構成となっている。このため、遮光膜１０６が形成された領域では、液晶層への印加電圧がほほゼロとなるので、画素電極１１８の電圧無印加状態と同じ表示状態となる。
【００３２】
また、素子基板１０１において、データ線駆動回路１４０が形成される領域１４０ａ外側であって、シール材１０４を隔てた領域１０７には、複数の接続端子が形成されて、外側からの制御信号や電源などを入力する構成となっている。一方、対向基板１０２の対向電極１０８は、基板貼合部分における４隅のうち、少なくとも１箇所において設けられた導通材（図示省略）によって、素子基板１０１における遮光膜１０６および接続端子と電気的な導通が図られている。すなわち、駆動信号ＬＣＯＭは、素子基板１０１に設けられた接続端子を介して、遮光膜１０６に、さらに、導通材を介して対向電極１０８に、それぞれ印加される構成となっている。
【００３３】
ほかに、対向基板１０２には、電気光学装置１００の用途に応じて、例えば、直視型であれば、第１に、ストライプ状や、モザイク状、トライアングル状等に配列したカラーフィルタが設けられ、第２に、例えば、金属材料や樹脂などからなる遮光膜（ブラックマトリクス）が設けられる。なお、色光変調の用途の場合には、例えば、後述するプロジェクタのライトバルブとして用いる場合には、カラーフィルタは形成されない。また、直視型の場合、電気光学装置１００に光を対向基板１０２側から照射するフロントライト、もしくは素子基板１０１側から光を照射するバックライトが必要に応じて設けられる。くわえて、素子基板１０１および対向基板１０２の電極形成面には、それぞれ所定の方向にラビング処理された配向膜（図示省略）など設けられて、電圧無印加状態における液晶分子の配向方向を規定する一方、素子基板１０１と対向基板１０２には、配向方向に応じた偏光板（図示省略）が設けられる。ただし、液晶１０５として、高分子中に微小粒として分散させた高分子分散型液晶を用いれば、前述の配向膜や偏光子などが不要となる結果、光利用効率が高まるので、高輝度化や低消費電力化などの点において有効である。
【００３４】
2．実施形態の動作
次に、上述した実施形態に係る電気光学装置の動作について説明する。図６は、この電気光学装置の動作を説明するためのタイミングチャートである。まず、上述したように、交流化信号ＰＬは各フレーム内のサブフィールドＳＦ０，ＳＦ２，ＳＦ３の開始時に極性反転する信号であり、その波形は同図に示すように１フレーム（１Ｆ）内で３回極性反転することになる。一方、スタートパルスＤＹは、各サブフィールドの開始時に供給される。
【００３５】
ここで、交流化信号ＰＬがＬレベルとなるサブフィールドにおいて、スタートパルスＤＹが供給されると、走査線駆動回路１３０（図１参照）におけるクロック信号ＣＬＹにしたがった転送によって、走査信号Ｇ1, Ｇ2, Ｇ3, … ,Ｇmが期間（ｔ）に順次排他的に出力される。なお、期間（ｔ）は、最も短いサブフィールドＳＦ１と同等、もしくはさらに短い期間に設定されている。
【００３６】
さて走査信号Ｇ1, Ｇ2, Ｇ3, … ,Ｇmは、それぞれクロック信号ＣＬＹの半周期に相当するパルス幅を有し、また、上から数えて１本目の走査線１１２に対応する走査信号Ｇ1は、スタートパルスＤＹが供給された後、クロック信号ＣＬＹが最初に立ち上がってから、少なくともクロック信号ＣＬＹの半周期だけ遅延して出力される構成となっている。したがって、スタートパルスＤＹが供給されてから、走査信号Ｇ1が出力されるまでに、ラッチパルスＬＰの１ショット（Ｇ0）がデータ線駆動回路１４０に供給されることになる。
【００３７】
そこで、このラッチパルスＬＰの１ショット（Ｇ0）が供給された場合について検討してみる。まず、このラッチパルスＬＰの１ショット（Ｇ0）がデータ線駆動回路１４０に供給されると、データ線駆動回路１４０（図３参照）におけるクロック信号ＣＬＸにしたがった転送によって、ラッチ信号Ｓ1, Ｓ2, Ｓ3, …,Ｓnが水平走査期間（１Ｈ）に順次排他的に出力される。なお、ラッチ信号Ｓ1,Ｓ2, Ｓ3, …, Ｓnは、それぞれクロック信号ＣＬＸの半周期に相当するパルス幅を有している。
【００３８】
この際、図３における第１のラッチ回路１４２０は、ラッチ信号Ｓ1の立ち下がりにおいて、上から数えて１本目の走査線１１２と、左から数えて１本目のデータ線１１４との交差に対応する画素１１０へのデータ信号Ｄｓをラッチし、次に、ラッチ信号Ｓ２の立ち下がりにおいて、上から数えて１本目の走査線１１２と、左から数えて２本目のデータ線１１４との交差に対応する画素１１０へのデータ信号Ｄｓをラッチし、以下、同様に、上から数えて１本目の走査線１１２と、左から数えてｎ本目のデータ線１１４との交差に対応する画素１１０へのデータ信号Ｄｓをラッチする。
【００３９】
これにより、まず、図１において上から１本目の走査線１１２との交差に対応する画素１行分のデータ信号Ｄｓが、第１のラッチ回路１４２０により点順次的にラッチされることになる。なお、データ変換回路３００は、第１のラッチ回路１４２０によるラッチのタイミングに合わせて、各画素の階調データＤ０〜Ｄ２をデータ信号Ｄｓに変換して出力することはいうまでもない。
【００４０】
次に、クロック信号ＣＬＹが立ち下がって、走査信号Ｇ1が出力されると、図１において上から数えて１本目の走査線１１２が選択される結果、当該走査線１１２との交差に対応する画素１１０のトランジスタ１１６がすべてオンとなる。一方、当該クロック信号ＣＬＹの立ち下がりによってラッチパルスＬＰが出力される。そして、このラッチパルスＬＰの立ち下がりタイミングにおいて、第２のラッチ回路１４３０は、第１のラッチ回路１４２０によって点順次的にラッチされたデータ信号Ｄｓを、電位選択回路１４４０を介して、対応するデータ線１１４の各々にデータ信号ｄ1, ｄ2, ｄ3, …,ｄnとして一斉に供給する。このため、上から数えて１行目の画素１１０においては、データ信号ｄ1, ｄ2, ｄ3, …,ｄnの書込が同時に行われることとなる。
【００４１】
この書込と並行して、図１において上から２本目の走査線１１２との交差に対応する画素１行分のデータ信号Ｄｓが、第１のラッチ回路１４２０により点順次的にラッチされる。そして、以降同様な動作が、ｍ本目の走査線１１２に対応する走査信号Ｇｍが出力されるまで繰り返される。すなわち、ある走査信号Ｇｉ（ｉは、１≦ｉ≦ｍを満たす整数）が出力される１水平走査期間（１Ｈ）においては、ｉ本目の走査線１１２に対応する画素１１０の１行分に対するデータ信号ｄ1, ｄ2, ｄ3, …,ｄnの書込と、（ｉ＋１）本目の走査線１１２に対応する画素１１０の１行分に対するデータ信号Ｄｓの点順次的なラッチとが並行して行われることになる。なお、画素１１０に書き込まれたデータ信号は、次のサブフィールドにおける書込まで保持される。
【００４２】
以下同様な動作が、サブフィールドの開始を規定するスタートパルスＤＹが供給される毎に繰り返される。但し、サブフィールドＳＦ０においては、データ信号Ｄｓのレベルは常にＨレベルである。また、交流化信号ＰＬの極性が反転すれば、データ信号ｄ1, ｄ2, ｄ3, …,ｄnの極性が反転することは上述した通りである。ここで、ある画素の階調データＤ２，Ｄ１，Ｄ０の様々な値に対する、画素印加電圧波形を図４に示す。
【００４３】
3．電子機器の具体例
3．1．プロジェクタ
次に、上述した電気光学装置を具体的な電子機器に用いた例のいくつかについて説明する。
まず、上記実施形態に係る電気光学装置をライトバルブとして用いた投射型表示装置であるプロジェクタ５４００について説明する。
図７(a)は、投射型表示装置の要部を示す概略構成図である。図中、５４３１は光源、５４４２，５４４４はダイクロイックミラー、５４４３，５４４８，５４４９は反射ミラー、５４４５は入射レンズ、５４４６はリレーレンズ、５４４７は出射レンズ、１００Ｒ，１００Ｇ，１００Ｂは上記電気光学装置による液晶光変調装置、５４５１はクロスダイクロイックプリズム、５４３７は投射レンズを示す。光源５４３１はメタルハライド等のランプ５４４０とランプの光を反射するリフレクタ５４４１とからなる。青色光・緑色光反射のダイクロイックミラー５４４２は、光源５４３１からの光束のうちの赤色光を透過させるとともに、青色光と緑色光とを反射する。透過した赤色光は反射ミラー５４４３で反射されて、赤色光用液晶光変調装置１００Ｒに入射される。一方、ダイクロイックミラー５４４２で反射された色光のうち緑色光は緑色光反射のダイクロイックミラー５４４４によって反射され、緑色光用液晶光変調装置１００Ｇに入射される。
【００４４】
一方、青色光は第２のダイクロイックミラー５４４４も透過する。青色光に対しては、長い光路による光損失を防ぐため、入射レンズ５４４５、リレーレンズ５４４６、出射レンズ５４４７を含むリレーレンズ系からなる導光手段が設けられ、これを介して青色光が青色光用液晶光変調装置１００Ｂに入射される。各光変調装置により変調された３つの色光はクロスダイクロイックプリズム５４５１に入射する。このプリズムは４つの直角プリズムが貼り合わされ、その内面に赤光を反射する誘電体多層膜と青光を反射する誘電体多層膜とが十字状に形成されている。これらの誘電体多層膜によって３つの色光が合成されて、カラー画像を表す光が形成される。合成された光は、投射光学系である投射レンズ５４３７によってスクリーン５４５２上に投射され、画像が拡大されて表示される。
【００４５】
3．2．モバイル型コンピュータ
次に、上記電気光学装置を、モバイル型のパーソナルコンピュータに適用した例について説明する。図７(b)は、このパーソナルコンピュータの構成を示す正面図である。図において、モバイル型コンピュータ５２００は、キーボード５２０２を備えた本体部５２０４と、表示ユニット５２０６とから構成されている。この表示ユニット５２０６は、先に述べた電気光学装置１００の後方にバックライトを付加することにより構成されている。
【００４６】
3．3．携帯電話器
さらに、上記電気光学装置を、携帯電話器に適用した例について説明する。図７(c)は、この携帯電話器の構成を示す正面図である。図において、携帯電話器５３００は、複数の操作ボタン５３０２のほか、受話口５３０４、送話口５３０６とともに、電気光学装置１００を備えるものである。この電気光学装置１００にも、必要に応じてその後方にバックライトが設けられる。
【００４７】
3．4．その他
電子機器としては、以上説明した他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器に対して、上述した電気光学装置が適用可能なのは言うまでもない。
【００４８】
4．変形例
本発明は上述した実施形態に限定されるものではなく、例えば以下のように種々の変形が可能である。
(1)上述した実施形態にあっては、図６の最上段に示すように交流化信号ＰＬを反転させたが、交流化信号ＰＬを反転させる態様はこれに限定されるものではない。すなわち、１フレーム内で「３」以上の奇数回極性が反転し、階調データＤ０〜Ｄ２にかかわらず画素印加電圧波形の直流成分が「０」になる信号であれば、種々の信号を交流化信号ＰＬとして採用することができる。
【００４９】
ここで、具体的に交流化信号ＰＬとして採用し得る種々の波形を図８のＰＬ０２〜ＰＬ０５に示す。なお、交流化信号ＰＬ０１は、フレーム周期毎に極性反転される従来技術の信号を参考までに示したものである。まず、交流化信号ＰＬ０３は、上記実施形態において採用された交流化信号ＰＬに等しい。次に、交流化信号ＰＬ０２は、サブフィールドＳＦ１，ＳＦ２，ＳＦ３の開始タイミングにおいて極性反転させた例である。この信号を採用すると、あるフレームのサブフィールドＳＦ３における極性と次のフレームのサブフィールドＳＦ０における極性とが等しくなる。このため、比較的長い期間（サブフィールドＳＦ３，ＳＦ０の合計に相当する期間）に渡って画素印加電圧波形の極性が反転しないため、上記実施形態よりはややフリッカーが目立ちやすくなる。
【００５０】
また、交流化信号の反転タイミングはサブフィールドの開始時に限られず、サブフィールドの途中であってもよい。その例として、サブフィールドＳＦ３の１／２のタイミングで極性反転を行う例を交流化信号ＰＬ０４，ＰＬ０５に示す。交流化信号ＰＬ０４においては、その他に各サブフィールドＳＦ０〜ＳＦ３の開始タイミングにおいて極性反転するから、１フレーム内で５回極性反転することになる。また、交流化信号ＰＬ０５においては、その他にサブフィールドＳＦ０，ＳＦ３の開始タイミングで極性反転するから、１フレーム内で３回極性反転することになる。このように、交流化信号を１フレーム内で奇数回反転することにより、あるフレーム（Ｊフレーム）と次のフレーム（Ｊ＋１フレーム）では、交流化信号の波形はちょうど反転した波形にすることができる。
【００５１】
交流化信号ＰＬ０４，ＰＬ０５においては、サブフィールドＳＦ３の途中で交流化信号の極性反転が発生するため、このタイミングでデータ信号ｄ1, ｄ2, ｄ3, …,ｄnを再度書込む必要がある。すなわち、サブフィールドＳＦ３の１／２のタイミングにおいて、新たなサブフィールドの開始時と同様に、走査線駆動回路１３０に対してスタートパルスＤＹを供給するとともに、サブフィールドＳＦ３の開始時に供給されたデータ信号Ｄｓと同一のデータ信号Ｄｓをデータ線駆動回路１４０に再度供給する必要がある。一方、交流化信号ＰＬ０４においては、同一極性の持続時間を最も長いサブフィールドＳＦ３の１／２程度にまで縮めることができるから、フリッカーを防止する点では図８に示す波形のうちで最も有利である。
【００５２】
(2)また、上述した実施形態にあっては、サブフィールド数は「４」（ＳＦ０〜ＳＦ３）であったが、本発明においてサブフィールド数は任意であることは言うまでもない。一例として、サブフィールド数が「５」（ＳＦ０〜ＳＦ４）である場合に採用し得る種々の波形を図９のＰＬ１２〜ＰＬ１６に示す。なお、交流化信号ＰＬ１１は、フレーム周期毎に極性反転される従来技術の信号を参考までに示したものである。まず、交流化信号ＰＬ１２においては、各サブフィールドＳＦ０〜ＳＦ４の開始タイミングで反転している。このように、サブフィールド数が奇数であれば、各サブフィールド毎に極性反転することにより、１フレーム内における反転回数を奇数（この場合は「５」）にすることができる。
【００５３】
また、交流化信号ＰＬ１３においては、サブフィールドＳＦ０，ＳＦ２，ＳＦ４の各開始タイミングにおいて反転することにより、反転回数を「３」に設定している。また、交流化信号ＰＬ１４においては、サブフィールドＳＦ１，ＳＦ２，ＳＦ３，ＳＦ４の各開始タイミングおよびサブフィールドＳＦ４の１／２のタイミングで極性反転することにより、反転回数を「５」に設定している。このように、サブフィールドＳＦ４の途中で極性反転することにより、図８において説明した交流化信号ＰＬ０４と同様に、同一極性の持続時間を最も長いサブフィールドＳＦ４の１／２程度にまで縮めることができるから、フリッカーを防止する点で有利である。
【００５４】
また、交流化信号ＰＬ１５においては、各サブフィールドＳＦ０〜ＳＦ４の開始タイミングと、サブフィールドＳＦ３およびＳＦ４の各１／２のタイミングとにおいて極性反転される。すなわち、１フレーム内で「７」回の極性反転が行われることになる。また、交流化信号ＰＬ１６においては、サブフィールドＳＦ０およびＳＦ４の各開始タイミングと、サブフィールドＳＦ４の１／２のタイミングとにおいて極性反転される。すなわち、１フレーム内で「３」回の極性反転が行われることになる。
【００５５】
(3)  上述した実施形態にあっては、液晶に印加される電圧の直流成分を「０」にするために交流化信号ＰＬの波形を１フレームの周期毎に反転することとしたが、本発明は、これに限られず、例えば、２フレーム以上の周期毎に波形を反転する構成としても良い。
【００５６】
(4)  上記実施形態においては、画素が常時オンになるオン区間はサブフィールドＳＦ０として１フレーム期間内に１回設けているが、複数回に分割して設けてもよい。また、オン区間だけでなく、画素が常にオフになるオフ区間を併せて設けても良い。このようにオン区間とオフ区間を両方設けることにより、１フレーム期間の長さを固定したままでオン区間の長さを調整することができるようになる。
【００５７】
(5)  上記実施形態において対向電極１０８に印加する駆動信号ＬＣＯＭは零電位であったが、各画素に印加される電圧はトランジスタ１１６の特性、蓄積容量１１９や液晶の容量等によって、電圧がシフトする場合がある。この様な場合には、対向電極１０８に印加する駆動信号ＬＣＯＭのレベルを電圧のシフト量に応じてずらしてもよい。
【００５８】
(6)  また、上記実施形態においては、対向電極１０８に印加される駆動信号ＬＣＯＭを一定電位（零電位）とし、データ信号ｄ1, ｄ2, ｄ3, …,ｄnの極性を反転することによって各画素に印加される電圧を反転した。このため、図４に示すように、画素印加電圧波形の振幅は「２・Ｖ１」になり、この電圧を発生させる電源回路が必要になる。しかし、駆動信号ＬＣＯＭの極性をデータ信号ｄ1, ｄ2, ｄ3, …,ｄnの逆位相の極性とすることによって各画素に印加される電圧の振幅を「Ｖ１」にすることができる。
【００５９】
図４の例においては、第ｎフレームのサブフィールドＳＦ０，ＳＦ１，ＳＦ３および第ｎ＋１フレームのサブフィールドＳＦ２において駆動信号ＬＣＯＭを零電位とし、第ｎフレームのサブフィールドＳＦ２および第ｎ＋１フレームのサブフィールドＳＦ０，ＳＦ１，ＳＦ３において駆動信号ＬＣＯＭを電位Ｖ１にするとよい。そして、図４において零電位の箇所を駆動信号ＬＣＯＭと同一電位とし、「−Ｖ１」電位の箇所を零電位とするとよい。かかる構成によれば、画素印加電圧波形の振幅は上記実施形態の１／２である「Ｖ１」にすることができ、データ線駆動回路１４０の電源電圧を低電圧化することが可能になる。
【００６０】
(7)  また、上記実施形態においては、電気光学装置を構成する素子基板１０１をガラスや石英などの非晶質基板とし、ここに半導体簿膜を堆積してＴＦＴを形成して透過型としたが、本発明は、これに限られない。例えば、素子基板１０１あるいは対向基板１０２に反射層を設けて反射型としたり、素子基板１０１を不透明な半導体基板によって構成し、ドット電極１１８をアルミニウムなどの反射性金属から形成し、対向基板１０２をガラスなどから構成すると、電気光学装置１００を反射型として用いることができる。
【００６１】
(8)  上記実施形態においては、走査信号Ｇ1, Ｇ2, Ｇ3, … ,Ｇmを順次排他的に出力することによって走査線１１２を上から順に選択する例を挙げたが、走査線１１２の選択順序はこれに限定されるものではなく、例えば走査信号を「Ｇ1,Ｇ11, Ｇ21,  … ,Ｇ2, Ｇ12, Ｇ22, … ,Ｇ3, Ｇ13, Ｇ23, … 」の如く、複数ライン毎に飛ばしながら出力し、１サブフィールド内で全ラインの走査線１１２を選択するようにしてもよい。
【００６２】
【発明の効果】
以上説明したように本発明によれば、１フレーム内で画素印加電圧波形の極性を複数回反転させるから、全ドットの印加電圧の極性を共通する場合であっても、フリッカーによる画像劣化を有効に防止することができる。
【図面の簡単な説明】
【図１】  本発明の一実施形態の電気光学装置の電気的構成を示すブロック図である。
【図２】  上記実施形態における画素の構成例を示す図である。
【図３】  上記実施形態におけるデータ線駆動回路１４０のブロック図である。
【図４】  上記実施形態における階調データと画素電極１１８への印加波形との関係を示す図である。
【図５】  上記実施形態における電気光学装置の構造図である。
【図６】  上記実施形態の電気光学装置のタイミングチャートである。
【図７】  同電気光学装置を適用した各種電子機器の例を示す図である。
【図８】  サブフィールド数が「４」である場合における従来技術、上記実施形態および変形例の交流化信号の波形図である。
【図９】  サブフィールド数が「５」である場合における従来技術および変形例の交流化信号の波形図である。
【符号の説明】
１００…電気光学装置
１０１…素子基板
１０１ａ…表示領域
１０２…対向基板
１０４…シール材
１０５…液晶
１０６…遮光膜
１０７…領域
１０８…対向電極
１１０…画素
１１２…走査線
１１４…データ線
１１６…薄膜トランジスタ
１１８…画素電極
１１９…蓄積容量
１３０…走査線駆動回路
１４０…データ線駆動回路
１５０…発振回路
２００…タイミング信号生成回路
３００…データ変換回路
３１０…書込みアドレス制御部
３２０，３２１，３２２…メモリブロック
３３０…表示アドレス制御部
３３２…オア回路
１４１０…シフトレジスタ
１４２０…第１のラッチ回路
１４３０…第２のラッチ回路
１４４０…電位選択回路
【図１】
0003991633.tif 000002
【図２】
0003991633.tif 000003
【図３】
0003991633.tif 000004
【図４】
0003991633.tif 000005
【図５】
0003991633.tif 000006
【図６】
0003991633.tif 000007
【図７】
0003991633.tif 000008
【図８】
0003991633.tif 000009
【図９】
0003991633.tif 000010